(57)【要約】【課題】  光学式ピックアップによりディスクに信号を記録することが出来る光ディスク記録再生装置のレーザダイオード保護回路を提供する。【解決手段】  レーザダイオードＬＤから照射されるレーザ光のレベルをモニターするモニター用ダイオードＭＤが組み込まれた光学式ピックアップのレーザダイオード保護回路であり、モニター用ダイオードＭＤから得られるモニター信号を利用してレーザダイオードＬＤの発光出力を自動的に制御する自動出力調整回路が組み込まれているとともにレーザダイオードＬＤに異なるレベルの駆動信号を供給するレーザ駆動回路１５と、該レーザ駆動回路１５から出力される駆動信号を選択してレーザダイオードＬＤに供給する選択回路とより成り、前記レーザ駆動回路１５の出力端子と選択回路との間に駆動信号のレベルを抑えるリミッタ回路を接続する。【選択図】    図１
2005310309.tif 000002
【特許請求の範囲】
【請求項１】
レーザダイオードから照射されるレーザ光のレベルをモニターするモニター用ダイオードが組み込まれた光学式ピックアップを使用してディスクへの信号の記録動作を行うように構成された光ディスク記録再生装置のレーザダイオード保護回路であり、モニター用ダイオードから得られるモニター信号を利用してレーザダイオードの発光出力を自動的に制御する自動出力調整回路が組み込まれているとともにレーザダイオードに異なるレベルの駆動信号を供給するレーザ駆動回路と、該レーザ駆動回路から出力される駆動信号を選択してレーザダイオードに供給する選択回路とより成り、前記レーザ駆動回路の出力端子と選択回路との間に駆動信号のレベルを抑えるリミッタ回路を接続したことを特徴とする光ディスク記録再生装置のレーザダイオード保護回路。
【請求項２】
リミッタ回路をシャントレギュレータにて構成したことを特徴とする請求項１に記載のレーザダイオード保護回路。
【発明の詳細な説明】
【技術分野】
【０００１】
本発明は、光学式ピックアップより照射されるレーザー光によってディスクに信号を記録するように構成された光ディスク記録再生装置のレーザダイオード保護回路に関する。
【背景技術】
【０００２】
光学式ピックアップを用いてディスクに記録されている信号の読み出し動作を行う光ディスク再生装置が普及しているが、再生機能に加えて光学式ピックアップより照射されるレーザ光によってディスクに信号を記録することが出来るように構成された光ディスク記録再生装置が商品化されている。
【０００３】
斯かる光ディスク記録再生装置に使用される光学式ピックアップは、レーザ光を照射するレーザダイオードに再生動作及び記録動作に必要な駆動電流が供給されるように構成されている。斯かるレーザダイオードに供給される駆動電流は、再生動作時と比較して記録動作時の方が大きくなるとともに正確な記録動作を行うためにはレーザ出力を正確に保持する必要がある。
【０００４】
レーザダイオードから照射されるレーザ光のレベルをモニターするモニター用ダイオードを設け、該モニター用ダイオードから得られるモニター信号を利用することによってレーザ光のレベルを所望のレベルに自動的に調整する所謂ＡＰＣ回路と呼ばれる自動出力調整回路が光ディスク記録再生装置に組み込まれている(例えば、特許文献１参照。)。
【特許文献１】特開２００２−４２３６２号公報
【発明の開示】
【発明が解決しようとする課題】
【０００５】
自動出力調整回路は、レーザダイオードから照射されるレーザ光を直接受光する位置にモニター用ダイオードを設け、該モニター用ダイオードから得られるモニター信号を利用してレーザダイオードの発光出力を自動的に調整するように構成されている。
【０００６】
光学式ピックアップの中には、１／４波長板と呼ばれる部材を設けることによってディスクの信号面から反射されるレーザ光、即ち戻り光と呼ばれるレーザ光を遮断するように構成された偏向光学系を採用したものとコストダウンのために１／４波長板を削除した無偏向光学系を採用したものとがある。
【０００７】
無偏向光学系を採用した光学式ピックアップでは、ディスク面から反射される戻り光がモニター用ダイオードに照射される等の理由によりレーザダイオードの自動出力調整回路の制御動作に悪影響を与え、極端な場合にはレーザダイオードが破壊されるという問題がある。
【０００８】
本発明は、斯かる問題を解決することが出来る光ディスク記録再生装置のレーザダイオード保護回路を提供しようとするものである。
【課題を解決するための手段】
【０００９】
本発明は、レーザダイオードから照射されるレーザ光のレベルをモニターするモニター用ダイオードが組み込まれた光学式ピックアップを使用してディスクへの信号の記録動作を行うように構成された光ディスク記録再生装置のレーザダイオード保護回路であり、モニター用ダイオードから得られるモニター信号を利用してレーザダイオードの発光出力を
自動的に制御する自動出力調整回路が組み込まれているとともにレーザダイオードに異なるレベルの駆動信号を供給するレーザ駆動回路と、該レーザ駆動回路から出力される駆動信号を選択してレーザダイオードに供給する選択回路とより成り、前記レーザ駆動回路の出力端子と選択回路との間に駆動信号のレベルを抑えるリミッタ回路を接続する。
【発明の効果】
【００１０】
本発明は、モニター用ダイオードから得られるモニター信号を利用してレーザダイオードの発光出力を自動的に制御する自動出力調整回路が組み込まれているとともにレーザダイオードに異なるレベルの駆動信号を供給するレーザ駆動回路と、該レーザ駆動回路から出力される駆動信号を選択してレーザダイオードに供給する選択回路とより成り、前記レーザ駆動回路の出力端子と選択回路との間に駆動信号のレベルを抑えるリミッタ回路を接続したので、レーザダイオードに過大な電流が流れることはなく、該レーザダイオードの破壊を防止することが出来る。
【００１１】
また、本発明は、リミッタ回路をシャントレギュレータにて構成したので、構成が簡単になるとともに保護動作を行うレベルの設定を容易に行うことが出来る。
【発明を実施するための最良の形態】
【００１２】
本発明は、レーザダイオードに供給される駆動電流の出力を制限することによってレーザダイオードの保護を行うように構成されている。
【実施例】
【００１３】
図１は本発明の光ディスク記録再生装置の一実施例を示す回路図、図２は本発明の動作を説明するための波形図である。
【００１４】
まず、図２に示す波形図を利用してレーザダイオードＬＤに供給される駆動電流の波形について説明する。図２(Ａ)は、再生動作時レーザダイオードＬＤに供給される駆動電流の波形を示すものであり、一定の出力レベル、即ち再生用レベルＶＰの信号となるように設定されている。
【００１５】
図２(Ｂ)は、一度しか記録動作を行うことが出来ないディスク、即ち追記型ディスクへの記録動作を行う場合にレーザダイオードＬＤに供給される駆動電流の波形を示すものであり、再生用レベルＶＰ１と記録用レベルＶＲ１の２値にて構成されるパルス信号となるように設定されている。
【００１６】
図２(Ｃ)は、繰り返し記録動作を行うことが出来るディスク、即ち書替え型ディスクへの記録動作を行う場合にレーザダイオードＬＤに供給される駆動電流の波形を示すものであり、再生用レベルＶＰ２、消去用レベルＶＥ及び記録用レベルＶＲ２の３値にて構成されるパルス信号となるように設定されている。
【００１７】
図１において、１は光学式ピックアップ部であり、レーザダイオードＬＤ、該レーザダイオードＬＤから照射されるレーザ光を受光するモニター用ダイオードＭＤが組み込まれている。２は前記光学式ピックアップ部１に設けられている電流増幅器であり、前記レーザダイオードＬＤに駆動電流を供給するように接続されている。
【００１８】
３は光学式ピックアップ部１に設けられている第１信号入力端子であり、第１入力抵抗４及び第１電子スイッチ５を介して前記電流増幅器２に接続されている。６は光学式ピックアップ部１に設けられている第２信号入力端子であり、第２入力抵抗７及び第２電子スイッチ８を介して前記電流増幅器２に接続されている。９は光学式ピックアップ部１に設けられている第３信号入力端子であり、第３入力抵抗１０及び第３電子スイッチ１１を介
して前記電流増幅器２に接続されている。
【００１９】
１２は記録信号が入力される記録信号入力端子、１３は前記記録信号入力端子１２から入力される記録信号をエンコード処理するエンコーダ回路であり、記録信号をディスクに記録される信号の規格に合わせて、例えばディスクがＣＤと呼ばれるディスクの場合にはＥＦＭ変調する作用を成すものである。斯かるエンコード処理は光ディスク記録再生装置では一般的に行われるものであり、その詳細な説明は省略する。
【００２０】
１４は前記エンコーダ回路１３から出力される記録信号に基づいてレーザ出力を切り換えるレーザ出力切換制御回路であり、前記光学式ピックアップ部１に組み込まれている第１電子スイッチ５、第２電子スイッチ８及び第３電子スイッチ１１の開閉動作を制御するように構成されている。
【００２１】
１５はレーザ駆動回路であり、第１調整用抵抗１６を介して前記光学式ピックアップ部１に設けられている第１信号入力端子３に接続されている第１信号出力端子１７、第２調整用抵抗１８を介して前記光学式ピックアップ部１に設けられている第２信号入力端子６に接続されている第２信号出力端子１９及び第３調整用抵抗２０を介して前記光学式ピックアップ部１に設けられている第３信号入力端子９に接続されている第３信号出力端子２１が設けられている。
【００２２】
２２は前記レーザ出力切換回路１４及びレーザ駆動回路１５等の動作を制御する制御回路であり、マイクロコンピュータにて構成されている。２３は前記レーザ駆動回路１５に組み込まれている再生用自動出力調整回路、２４は前記レーザ駆動回路１５に組み込まれている記録用自動出力調整回路である。
【００２３】
２５は再生動作時動作状態になる再生用サンプリング回路であり、前記モニター用ダイオードＭＤから得られるモニター信号を前記レーザ出力切換制御回路１４から出力されるサンプリング用信号に基づいてサンプリングし、そのサンプリングされた信号を前記レーザ駆動回路１５に入力させるように構成されている。２６は記録動作時動作状態になる記録用サンプリング回路であり、前記モニター用ダイオードＭＤから得られるモニター信号を前記レーザ出力切換制御回路１４から出力されるサンプリング用信号に基づいてサンプリングし、そのサンプリングされた信号を前記レーザ駆動回路１５に入力させるように構成されている。
【００２４】
２７は前記レーザ駆動回路１５の第１信号出力端子１７と接地間に設けられている第１リミッタ回路であり、シャントレギュレータにて構成されている。２８は前記レーザ駆動回路１５の第２信号出力端子１９と接地間に設けられている第２リミッタ回路であり、シャントレギュレータにて構成されている。２９は前記レーザ駆動回路１５の第３信号出力端子２１と接地間に設けられている第３リミッタ回路であり、シャントレギュレータにて構成されている。
【００２５】
斯かる回路構成において、レーザ駆動回路１５に設けられている第１信号出力端子１７には、再生動作を行う場合再生用レベルＶＰが出力され、追記型ディスクへの記録動作を行う場合再生用レベルＶＰ１が出力され、書替え型ディスクへの記録動作を行う場合再生用レベルＶＰ２の信号が出力されるように構成されている。また、レーザ駆動回路１５に設けられている第２信号出力端子１９には、追記型ディスクへの記録動作を行う場合記録用レベルＶＲ１が出力され、書替え型ディスクへの記録動作を行う場合消去用レベルＶＥの信号が出力されるように構成されている。そして、レーザ駆動回路１５に設けられている第３信号出力端子２１には、書替え型ディスクへの記録動作を行う場合に記録用レベルＶＲ２の信号が出力されるように構成されている。
【００２６】
また、斯かる回路構成において、再生用サンプリング回路２５によるサンプリング動作は、光ディスク記録再生装置が再生動作状態にあるときに行われるが、そのサンプリング動作は前もって設定されているタイミングでレーザ出力切換制御回路１４から出力されるサンプリング用信号に基づいて行われるように構成されている。
【００２７】
そして、記録用サンプリング回路２６によるサンプリング動作は、レーザ出力切換制御回路１４から出力されるサンプリング用信号に基づいて行われるが、追記型ディスクへの記録動作を行う場合と書替え型ディスクへの記録動作を行う場合とはサンプリングを行う対象が相違する。即ち、追記型ディスクへの信号の記録動作を行う場合には、図２(Ｂ)に示す波形のパルス信号をレーザダイオードＬＤに供給することによって記録動作が行われるが、記録波形において記録用レベルＶＲ１の信号が出力されている期間にレーザ出力切換制御回路１４がサンプリング用信号を出力し、書替え型ディスクへの信号の記録動作を行う場合には、図２(Ｃ)に示す波形のパルス信号をレーザダイオードＬＤに供給することによって記録動作が行われるが、記録波形において消去用レベルＶＥの信号が出力されている期間にレーザ出力切換制御回路１４がサンプリング用信号を出力するように構成されている。書替え型ディスクの場合に行うサンプリング動作を消去用レベルＶＥの信号が出力されている期間に設定する理由は、図２(Ｃ)に示すようにマルチパルス波形の信号の場合には記録用レベルＶＲ２が出力されている期間が短いのでサンプリング動作を正確に行うことが困難であるからである。
【００２８】
前述したように再生用サンプリング回路２５のサンプリング動作、記録用サンプリング回路２６の追記型ディスク使用時及び書替え型ディスク使用時のサンプリング動作は行われるが、次にレーザ駆動回路１５に設けられている第１信号出力端子１７、第２信号出力端子１９及び第３信号出力端子２１に出力される信号の生成動作について説明する。
【００２９】
再生動作状態では、第１信号出力端子１７に図２(Ａ)に示す再生用レベルＶＰが出力されるが、この再生用レベルＶＰは制御回路２２によって前もって設定されるレベルになるようにされている。そして、レーザダイオードＬＤから照射されるレーザ光を受光するべく設けられているモニター用ダイオードＭＤから得られるモニター信号は、レーザ出力切換制御回路１４から出力されるサンプリング用信号に基づいて行われる再生用サンプリング回路２５のサンプリング動作によってレーザ駆動回路１５に設けられている再生用自動出力調整回路２３に入力される。その結果、前記再生用自動出力調整回路２３によるレーザ出力の自動調整動作、即ちレーザダイオードＬＤから照射されるレーザ光のレベルが再生動作を正確行うために適した出力になるように第１信号出力端子１７から出力される信号のレベルを調整する動作が行われる。
【００３０】
次に追記型ディスクへの記録動作を行う場合について説明する。斯かる場合には、図２(Ｂ)に示す波形の信号がレーザダイオードＬＤに供給されるが、レーザ駆動回路１５に設けられている第１信号出力端子１７には、再生用レベルＶＰ１が出力され、第２信号出力端子１９には記録用レベルＶＲ１が出力される。そして、レーザダイオードＬＤから照射されるレーザ光を受光するべく設けられているモニター用ダイオードＭＤから得られるモニター信号は、レーザ出力切換制御回路１４から出力されるサンプリング用信号に基づいて行われる記録用サンプリング回路２６のサンプリング動作によってレーザ駆動回路１５に設けられている記録用自動出力調整回路２４に入力される。その結果、前記記録用自動出力調整回路２４によるレーザ出力の自動調整動作、即ちレーザダイオードＬＤから照射されるレーザ光の記録用レベルが記録動作を正確行うために適した出力になるように第２信号出力端子１９から出力される信号のレベルを調整する動作が行われる。そして、斯かる場合において第１信号出力端子１７から出力される再生用レベルＶＰ１は、記録用レベルＶＲ１に基づいて設定される。斯かる記録用レベルＶＲ１に基づく再生用レベルＶＰ１
の設定動作は、前もって設定されている関係式によって行われるが、斯かる演算処理動作は制御回路２２によって行われる。
【００３１】
次に書替え型ディスクへの記録動作を行う場合について説明する。斯かる場合には、図２(Ｃ)に示す波形の信号がレーザダイオードＬＤに供給されるが、レーザ駆動回路１５に設けられている第１信号出力端子１７には、再生用レベルＶＰ２が出力され、第２信号出力端子１９には消去用レベルＶＥが出力され、第３信号出力端子２１には記録用レベルＶＲ２が出力される。そして、レーザダイオードＬＤから照射されるレーザ光を受光するべく設けられているモニター用ダイオードＭＤから得られるモニター信号は、レーザ出力切換制御回路１４から出力されるサンプリング用信号に基づいて行われる記録用サンプリング回路２６のサンプリング動作によってレーザ駆動回路１５に設けられている記録用自動出力調整回路２４に入力される。この場合におけるサンプリング動作は、消去用レベルＶＥに対して行われるので、前記記録用自動出力調整回路２４によるレーザ出力の自動調整動作、即ちレーザダイオードＬＤから照射されるレーザ光の消去用レベルＶＥが記録動作を正確行うために適した出力になるように第２信号出力端子１９から出力される信号のレベルを調整する動作が行われる。そして、斯かる場合において第１信号出力端子１７から出力される再生用レベルＶＰ２及び第３信号出力端子２１に出力される記録用レベルＶＲ２は、消去用レベルＶＥに基づいて設定される。斯かる消去用レベルＶＥに基づく再生用レベルＶＰ２及び記録用レベルＶＲ２の設定動作は、前もって設定されている関係式によって行われるが、斯かる演算処理動作は制御回路２２によって行われる。
【００３２】
以上に説明したようにレーザ駆動回路１５に設けられている第１信号出力端子１７、第２信号出力端子１９及び第３信号出力端子２１における各動作状態に対応した信号の出力動作は行われるが、次にレーザ出力切換制御回路１４による第１電子スイッチ５、第２電子スイッチ８及び第３電子スイッチ１１の切換制御動作について説明する。
【００３３】
先ずディスクに記録されている信号を読み取る再生動作について説明する。再生動作状態では、図２(Ａ)に示す波形の駆動信号を電流増幅器２からレーザダイオードＬＤに供給することによって光学式ピックアップによる信号の読み取り動作が行われる。即ち、再生動作状態では、レーザ出力切換制御回路１４から出力される制御信号によって第１電子スイッチ５のみ閉成された状態になる。
【００３４】
従って、斯かる状態では、レーザ駆動回路１５の第１信号出力端子１７に出力される再生用レベルＶＰの信号が第１調整用抵抗１６を介して光学式ピックアップ部１に設けられている第１信号入力端子３に印加される。前記第１信号入力端子３に入力された再生用レベルＶＰの信号は、第１入力抵抗４及び第１電子スイッチ５を介して電流増幅器２に入力されるとともに該電流増幅器２により電流増幅されてレーザダイオードＬＤに供給されることになる。
【００３５】
このようにしてレーザダイオードＬＤにレーザ駆動回路１５から出力される再生用レベルＶＰに基づく駆動電流が供給される結果、ディスクに記録されている信号を読み取るために適したレーザ光がレーザダイオードＬＤから照射されることになる。斯かる状態にあるとき、モニター用ダイオードＭＤから得られるモニター信号が再生用サンプリング回路２５によるサンプリング動作によってサンプリングされた後レーザ駆動回路１５に設けられている再生用自動出力調整回路２３に入力されて出力調整動作が自動的に行われるので、レーザダイオードＬＤの発光出力を信号の読み取り動作に適したレベルに保持することが出来る。
【００３６】
再生動作時におけるレーザダイオードＬＤの駆動動作は前述したように行われるが、次に記録動作について説明する。追記型ディスクへの記録動作を行う場合には、図２(Ｂ)に
示す波形の駆動信号をレーザダイオードＬＤに供給する動作が行われる。
【００３７】
前述したように斯かる追記型ディスクへの記録動作を行う場合には、レーザ駆動回路１５に設けられている第１信号出力端子１７に再生用レベルＶＰ１の信号が出力され、第２信号出力端子１９には記録用レベルＶＲ１の信号が出力された状態にある。斯かる状態において、記録信号が記録信号入力端子１２を介してエンコーダ回路１３に入力されると、該エンコーダ回路１３によるエンコード処理動作が行われ、エンコード処理された信号がレーザ出力切換制御回路１４に入力される。
【００３８】
記録信号をエンコード処理した信号がレーザ出力切換制御回路１４に入力されると、その入力された信号に対応して第１電子スイッチ５及び第2電子スイッチ８の開閉動作が行われる。即ち、ディスクへの記録動作を行う期間は第２電子スイッチ８が閉成され、記録動作を行わない再生期間は第１電子スイッチ５が閉成されることになる。
【００３９】
第２電子スイッチ８が閉成されている期間は、レーザ駆動回路１５の第２信号出力端子１９に出力される記録用レベルＶＲ１の信号が第２調整用抵抗１８を介して光学式ピックアップ部１に設けられている第２信号入力端子６に印加される。前記第２信号入力端子６に入力された記録用レベルＶＲ１の信号は、第２入力抵抗７及び第２電子スイッチ８を介して電流増幅器２に入力されるとともに該電流増幅器２により電流増幅されてレーザダイオードＬＤに供給されることになる。
【００４０】
また、第１電子スイッチ５が閉成されている期間は、レーザ駆動回路１５の第１信号出力端子１７に出力される再生用レベルＶＰ１の信号が第１調整用抵抗１６を介して光学式ピックアップ部１に設けられている第１信号入力端子３に印加される。前記第１信号入力端子３に入力された再生用レベルＶＰ１の信号は、第１入力抵抗４及び第１電子スイッチ５を介して電流増幅器２に入力されるとともに該電流増幅器２により電流増幅されてレーザダイオードＬＤに供給されることになる。
【００４１】
前述した第１電子スイッチ５及び第２電子スイッチ８の開閉動作がエンコード処理された信号に基づいて行われる結果、図２(Ｂ)に示す波形の駆動信号がレーザダイオードＬＤに供給される。斯かる駆動信号がレーザダイオードＬＤに供給されると、そのレベルに応じたレーザ光をレーザダイオードＬＤが照射するので信号のディスクへの記録動作を行うことが出来る。
【００４２】
そして、斯かる記録動作が行われているとき、モニター用ダイオードＭＤから得られるモニター信号から記録レベルのレーザ光が照射されている期間の信号が記録用サンプリング回路２６によるサンプリング動作によってサンプリングされた後レーザ駆動回路１５に設けられている記録用自動出力調整回路２４に入力されて出力調整動作が自動的に行われるので、レーザダイオードＬＤの発光出力を信号の記録動作に適した記録レベル及び再生レベルに保持することが出来る。
【００４３】
以上に説明したように追記型ディスクへの記録動作を行う場合のレーザダイオードＬＤの駆動動作は行われるが、次に書替え型ディスクへの記録動作を行う場合について説明する。
【００４４】
書替え型ディスクへの記録動作を行う場合には、図２(Ｃ)に示す波形の駆動信号をレーザダイオードＬＤに供給する動作が行われる。前述したように斯かる書替え型ディスクへの記録動作を行う場合には、レーザ駆動回路１５に設けられている第１信号出力端子１７に再生用レベルＶＰ２の信号が出力され、第２信号出力端子１９には消去用レベルＶＥの信号が出力され、第３信号出力端子２１には記録用レベルＶＲ２の信号が出力された状態
にある。斯かる状態において、記録信号が記録信号入力端子１２を介してエンコーダ回路１３に入力されると、該エンコーダ回路１３によるエンコード処理動作が行われ、エンコード処理された信号がレーザ出力切換制御回路１４に入力される。
【００４５】
記録信号をエンコード処理した信号がレーザ出力切換制御回路１４に入力されると、その入力された信号に対応して第１電子スイッチ５、第2電子スイッチ８及び第３電子スイッチ１１の開閉動作が行われる。即ち、ディスクへの記録動作を行う期間は第２電子スイッチ８及び第１電子スイッチ５の開閉動作が繰り返し行われ、記録動作を行わない期間、即ち消去期間は第２電子スイッチ８が閉成されることになる。
【００４６】
第２電子スイッチ８が閉成されている期間は、レーザ駆動回路１５の第２信号出力端子１９に出力される消去用レベルＶＥの信号が第２調整用抵抗１８を介して光学式ピックアップ部１に設けられている第２信号入力端子６に印加される。前記第２信号入力端子６に入力された消去用レベルＶＥの信号は、第２入力抵抗７及び第２電子スイッチ８を介して電流増幅器２に入力されるとともに該電流増幅器２により電流増幅されてレーザダイオードＬＤに供給されることになる。
【００４７】
また、第１電子スイッチ５が閉成されている期間は、レーザ駆動回路１５の第１信号出力端子１７に出力される再生用レベルＶＰ２の信号が第１調整用抵抗１６を介して光学式ピックアップ部１に設けられている第１信号入力端子３に印加される。前記第１信号入力端子３に入力された再生用レベルＶＰ２の信号は、第１入力抵抗４及び第１電子スイッチ５を介して電流増幅器２に入力されるとともに該電流増幅器２により電流増幅されてレーザダイオードＬＤに供給されることになる。
【００４８】
そして、第３電子スイッチ１１が閉成されている期間は、レーザ駆動回路１５の第３信号出力端子２１に出力される記録用レベルＶＲ２の信号が第３調整用抵抗２０を介して光学式ピックアップ部１に設けられている第３信号入力端子９に印加される。前記第３信号入力端子９に入力された記録用レベルＶＲ２の信号は、第３入力抵抗１０及び第３電子スイッチ１１を介して電流増幅器２に入力されるとともに該電流増幅器２により電流増幅されてレーザダイオードＬＤに供給されることになる。
【００４９】
前述した第１電子スイッチ５、第２電子スイッチ８及び第３電子スイッチ１１の開閉動作がエンコード処理された信号に基づいて行われる結果、図３(Ｃ)に示す波形の駆動信号がレーザダイオードＬＤに供給される。斯かる駆動信号がレーザダイオードＬＤに供給されると、そのレベルに応じたレーザ光をレーザダイオードＬＤが照射するので信号のディスクへの記録動作を行うことが出来る。
【００５０】
そして、斯かる記録動作が行われているとき、モニター用ダイオードＭＤから得られるモニター信号から消去レベルのレーザ光が照射されている期間の信号が記録用サンプリング回路２６によるサンプリング動作によってサンプリングされた後レーザ駆動回路１５に設けられている記録用自動出力調整回路２４に入力されて出力調整動作が自動的に行われるので、レーザダイオードＬＤの発光出力を信号の記録動作に適した記録レベル、再生レベル及び消去レベルに保持することが出来る。
【００５１】
以上に説明したようにディスクに記録されている信号の再生動作、追記型ディスク及び書替え型ディスクへの記録動作を行う場合のレーザダイオードＬＤの駆動動作は行われるが、モニター用ダイオードＭＤへの戻り光等のノイズによる悪影響が大きくなると、レーザ駆動回路１５に組み込まれている再生用自動出力調整回路２３や記録用自動出力調整回路２４による自動調整動作が異常となり、第１信号出力端子１７、第２信号出力端子１９及び第３信号出力端子２１に異常レベルの信号が出力される。
【００５２】
斯かる異常レベルの信号が第１信号出力端子１７、第２信号出力端子１９及び第３信号出力端子２１に出力されると、各出力端子と接地間に接続されている第１リミッタ回路２７、第２リミッタ回路２８及び第３リミッタ回路２９による信号レベルに対するリミッタ動作が行われる。その結果、過大なレベルの信号が光学式ピックアップ部１に設けられている第１信号入力端子３、第２信号入力端子６及び第３信号入力端子９に入力されることはなく、レーザダイオードＬＤに過大な電流が供給されることはない。従って、レーザダイオードＬＤが過大な電流によって破壊されることを防止することが出来る。
【００５３】
本実施例において、光学式ピックアップ部１に設けられている第１入力抵抗４、第２入力抵抗７及び第３入力抵抗１０の各々に直列接続されている第１調整用抵抗１６、第２調整用抵抗１８及び第３調整用抵抗２０の値を選択設定することによってリミッタ回路によって制限された電圧に基づいてレーザダイオードＬＤに供給される駆動電流値の最大値を破壊されない値に設定することが出来る。
【００５４】
尚、本実施例では、リミッタ回路２７，２８、２９としてシャントレギュレータを使用したが他のリミッタ素子を使用することは勿論可能である。
【図面の簡単な説明】
【００５５】
【図１】本発明の光ディスク記録再生装置の一実施例を示す回路図である。
【図２】本発明の動作を説明するための波形図である。
【符号の説明】
【００５６】
１        光学式ピックアップ部
２        電流増幅器
５        第１電子スイッチ
８        第２電子スイッチ
１１        第３電子スイッチ
１３        エンコーダ回路
１４        レーザ出力切換制御回路
１５        レーザ駆動回路
２２        制御回路
２３        再生用自動出力調整回路
２４        記録用自動出力調整回路
２５        再生用サンプリング回路
２６        記録用サンプリング回路
２７        第１リミッタ回路
２８        第２リミッタ回路
２９        第３リミッタ回路
ＬＤ        レーザダイオード
ＭＤ        モニター用ダイオード
【図１】
2005310309.tif 000003
【図２】
2005310309.tif 000004